(57)【特許請求の範囲】
【請求項１】
特定サービスを提供するセル及び該特定サービスを提供しないセルが異なる周波数帯域でオーバーレイする構成を有する移動通信システムにおける移動通信方法であって、
第１セルにて待ち受け状態にある移動局が、通信開始要求信号を送信する工程Ａと、
各セルにおいて該特定サービスを提供しているか否か、及び、異なる周波数帯域で該第１セルにオーバーレイされている第２セルにおける通信品質が前記通信開始要求信号に含まれているか否に基づいて、該第２セルにおける通信品質を測定するか否かについて判定する工程Ｂと、
測定された前記第２セルにおける通信品質に基づいて、前記第１セル又は該第２セルのいずれかにおいて前記移動局の通信を開始する工程Ｃとを有することを特徴とする移動通信方法。
【請求項２】
前記工程Ｂにおいて、更に、前記移動局の通信能力、或いは、該移動局に対して前記特定サービスを提供する必要があるか否かの少なくとも１つに基づいて、前記第２セルにおける通信品質を測定するか否かについて判定することを特徴とする請求項１に記載の移動通信方法。
【請求項３】
前記工程Ｂにおいて、前記通信開始要求信号に含まれている前記第２セルにおける通信品質に基づいて、前記第１セル又は該第２セルのいずれかにおいて前記移動局の通信を開始することを特徴とする請求項１に記載の移動通信方法。
【請求項４】
特定サービスを提供するセル及び該特定サービスを提供しないセルが異なる周波数帯域でオーバーレイする構成を有する移動通信システムで用いられる無線制御局であって、
第１セルにて待ち受け状態にある移動局が、通信開始要求信号を送信した場合に、各セルにおける前記特定サービスの提供有無、及び、異なる周波数帯域で該第１セルにオーバーレイされている第２セルにおける通信品質が前記通信開始要求信号に含まれているか否かの少なくとも１つに基づいて、該第２セルにおける通信品質を測定するか否かについて判定するように構成されている判定部と、
測定された前記第２セルにおける通信品質に基づいて、前記第１セル又は該第２セルのいずれかにおいて前記移動局の通信を開始するように構成されている通信部とを具備することを特徴とする無線制御局。
【請求項５】
前記判定部は、更に、前記移動局の通信能力、或いは、該移動局に対して前記特定サービスを提供する必要があるか否かの少なくとも１つに基づいて、前記第２セルにおける通信品質を測定するか否かについて判定するように構成されていることを特徴とする請求項４に記載の無線制御局。
【請求項６】
前記通信部は、前記通信開始要求信号に含まれている前記第２セルにおける通信品質に基づいて、前記第１セル又は該第２セルのいずれかにおいて前記移動局の通信を開始することを特徴とする請求項４に記載の無線制御局。
【請求項７】
特定サービスを提供するセル及び該特定サービスを提供しないセルが異なる周波数帯域でオーバーレイする構成を有する移動通信システムで用いられる無線基地局であって、
第１セルにて待ち受け状態にある移動局が、通信開始要求信号を送信した場合に、各セルにおいて該特定サービスを提供しているか否か、及び、異なる周波数帯域で該第１セルにオーバーレイされている第２セルにおける通信品質が前記通信開始要求信号に含まれているか否かの少なくとも１つに基づいて、該第２セルにおける通信品質を測定するか否かについて判定するように構成されている判定部と、
測定された前記第２セルにおける通信品質に基づいて、前記第１セル又は該第２セルのいずれかにおいて前記移動局の通信を開始するように構成されている通信部とを具備することを特徴とする無線基地局。
【請求項８】
前記判定部は、更に、前記移動局の通信能力、或いは、該移動局に対して前記特定サービスを提供する必要があるか否かの少なくとも１つに基づいて、前記第２セルにおける通信品質を測定するか否かについて判定するように構成されていることを特徴とする請求項７に記載の無線基地局。
【請求項９】
前記通信部は、前記通信開始要求信号に含まれている前記第２セルにおける通信品質に基づいて、前記第１セル又は該第２セルのいずれかにおいて前記移動局の通信を開始することを特徴とする請求項７に記載の無線基地局。
【発明の詳細な説明】
【技術分野】
【０００１】
本発明は、特定サービスを提供するセル及び該特定サービスを提供しないセルが異なる周波数帯域でオーバーレイする構成を有する移動通信システムにおける移動通信方法、無線制御局及び無線基地局に関する。
【背景技術】
【０００２】
近年、３ＧＰＰ（３ｒｄ  Ｇｅｎｅｒａｔｉｏｎ  Ｐａｒｔｎｅｒｓｈｉｐ  Ｐｒｏｊｅｃｔｓ）により、符号分割多元接続（ＣＤＭＡ：Ｃｏｄｅ  Ｄｉｖｉｓｉｏｎ  Ｍｕｌｔｉｐｌｅ  Ａｃｃｅｓｓ）技術に基づいた「Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）システム（又は、ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）」と呼ばれる移動通信システムが仕様化されている（非特許文献１参照）。
【０００３】
図１に、かかるＷ-ＣＤＭＡシステムの構成例を示す。図１に示すように、Ｗ-ＣＤＭＡシステムには、移動局ＵＥ（Ｕｓｅｒ  Ｅｑｕｉｐｍｅｎｔ）や、無線基地局ＮｏｄｅＢや、無線制御局ＲＮＣ（Ｒａｄｉｏ  Ｎｅｔｗｏｒｋ  Ｃｏｎｔｒｏｌｅｒ）や、交換局ＭＳＣ/ＳＧＳＮ（Ｍｏｂｉｌｅ  Ｓｗｉｔｃｈｉｎｇ  Ｃｅｎｔｅｒ/Ｓｅｒｖｉｎｇ  ＧＰＲＳ  Ｓｕｐｐｏｒｔ  Ｎｏｄｅ）が含まれており、セルラ方式の移動通信システムが構成されている。
【０００４】
無線基地局ＮｏｄｅＢにより送出される電波によって「セル（Ｃｅｌｌ）」と呼ばれるセルラ方式の制御単位となるエリアが形成される。
【０００５】
Ｗ-ＣＤＭＡシステムにおいて、セルは、パイロットチャネルの周波数帯域及び「Ｐｒｉｍａｒｙ  Ｓｃｒａｍｂｌｉｎｇ  Ｃｏｄｅ」と呼ばれる拡散コードとの組み合わせによって特定される。通常、パイロットチャネルとセルとは、一対一に対応付けられている。
【０００６】
ここで、Ｗ-ＣＤＭＡシステムでは、地理的に同一のエリアをカバーするが、パイロットチャネルの送信に使用する周波数帯域が異なるセルがオーバーレイ（重畳）する構成を採用することができる。
【０００７】
図１の例では、セル０１とセル０２とが地理的に同一のエリアをカバーしており、セル０３とセル０４とが地理的に同一のエリアをカバーしている。また、セル０１及びセル０３には周波数帯域０１が割り当てられており、セル０２及びセル０４には周波数帯域０２が割り当てられている。
【０００８】
ここで、各周波数帯域の幅が規定されているため、単一の周波数帯域では通信容量の限界が生じるが、このように、異なる周波数帯域を割り当てたセルをオーバーレイさせることにより、同一地点における通信容量を拡大させることができる。
【０００９】
異なる周波数帯域の複数のセルがオーバーレイされている構成における通信設定方法としては、移動局ＵＥが、いずれかのセルにて待ち受けを行っている状態で、通信開始時に、待ち受けを行っているセルのみにおいて通信を設定する方法や、柔軟な負荷分散を図るために、移動局ＵＥが、待ち受けを行っているセルとは異なる周波数帯域のセルにおいて通信を設定する方法も考案されている。
【００１０】
後者の場合、オーバーレイされているセル同士の通信品質は、必ずしも同一でないため、何らかの手段で、異なる周波数帯域のセルにおける通信品質を測定し、異なる周波数帯域のセルへの通信設定可否を事前に判定することが普通である。
【００１１】
ここで、「通信品質」とは、パイロットチャネルの電界強度や、希望波の電界強度と干渉波の電界強度との比（ＳＩＲ：Ｓｉｇｎａｌ  ｔｏ  Ｉｎｔｅｒｆｅｒｅｎｃｅ  Ｒａｔｉｏ）や、電界損失等である。
【００１２】
移動局ＵＥは、これらの通信品質を用いた閾値判定により、通信品質が十分と判断されれば、待ち受けを行っているセルとは異なる周波数帯域のセルであっても通信設定を行い、そうでなければ、待ち受けを行っているセルとは異なる周波数帯域のセルへの通信設定を行わない。
【００１３】
また、待ち受けを行っているセル（待ち受け中セル）とは異なる周波数帯域セルにおける通信品質を取得する手段としては、移動局ＵＥが、予め待ち受け中に、当該異なる周波数帯域のセルにおける通信品質を測定し、かかる測定結果を通信開始要求信号に含めて無線制御局ＲＮＣに通知する方法が知られている。
【００１４】
また、特許文献１には、待ち受け状態にある移動局ＵＥが、当該異なる周波数帯域のセルにおける通信品質の測定を行わず、通信設定手順中に、無線制御局ＲＮＣが、移動局ＥＵが待ち受けを行っているセルにおける通信品質に基づいて、セル選択処理を実施し、当該待ち受け中セルを選択できない場合に、別の周波数帯域のセルにおける通信品質を測定するように移動局ＵＥに要求して、当該別の周波数帯域のセルにおける通信品質を取得する手順が記載されている。
【００１５】
かかる手順では、移動局ＵＥが、待ち受け状態では、別の周波数帯域のセルにおける通信品質の測定を行わず、待ち受け中セルを選択することができない場合のみ、別の周波数帯域のセルにおける通信品質の測定を実施するため、待ち受け状態にある移動局ＵＥの消費電力を抑制することが可能になっている。
【００１６】
ところで、コストや機器設置等の事業部の設備構築上の都合により、オーバーレイするセル間で、提供する通信サービスが異なる場合がある。
【００１７】
かかる通信サービスの例としては、近年導入が進んでいる「ＨＳＤＰＡ（Ｈｉｇｈ-Ｓｐｅｅｄ  Ｄｏｗｎｌｉｎｋ  Ｐａｃｋｅｔ  Ａｃｃｅｓｓ）サービス」や「ＨＳＵＰＡ（Ｈｉｇｈ-Ｓｐｅｅｄ  Ｕｐｌｉｎｋ  Ｐａｃｋｅｔ  Ａｃｃｅｓｓ）又はＥＵＬ（Ｅｎｈａｎｃｅｄ  Ｕｐｌｉｎｋ）サービス」等が挙げられる。
【００１８】
これらは、それぞれ、「Ｒｅｌｅａｓｅ  ５」や「Ｒｅｌｅａｓｅ  ６」といった新しいバージョンの３ＧＰＰ標準規格にて盛り込まれた上りリンクや下りリンク用の通信サービスであり、従来の「Ｒｅｌｅａｓｅ  ９９（上りリンク用及び下りリンク用）サービス」と比較して、高スループットで高効率な通信を行うことが可能になっている。
【００１９】
図１の例では、ＥＵＬサービスが、セル０１では提供されておらず、セル０２のみで提供されている。
【００２０】
かかる場合、ＥＵＬサービス用の通信能力を備える「ＥＵＬ対応移動局」であっても、セル０１において通信を設定する場合には、ＥＵＬサービス用通信ではなく、低速なＲｅｌｅａｓｅ  ９９（上りリンク）サービス用通信が設定され、セル０２において通信を設定する場合のみ、ＥＵＬサービス用通信を設定することができる。
【００２１】
このようなＥＵＬサービスの提供形態を採用する場合、「特許文献１」に記載の方法では、通信品質に基づいて、セル選択を実施して、待ち受け中セルを選択することができない場合のみ、別の周波数帯域のセルにおける通信品質を測定したり、別の周波数帯域のセルを選択したりするため、セル０１にて待ち受けを行っているＥＵＬ対応移動局は、通信開始時に、セル０１における通信品質が十分であれば、セル０２における通信品質の測定やセル０２に対するセル選択を行わず、セル０１にて、Ｒｅｌｅａｓｅ  ９９（上りリンク）サービス用通信を設定する。
【００２２】
或いは、「特許文献１」に記載の方法ではなく、ＥＵＬサービス用通信を設定するために、セル０２において一律に通信を設定する方法も考えられるが、かかる場合、セル０２における通信品質の測定が行われないため、劣悪な通信品質で通信が行われる可能性がある。
【非特許文献１】３ＧＰＰ  ＴＳ２１.１０１
【非特許文献２】３ＧＰＰ  ＴＳ２５.３３１
【特許文献１】特開２００３-２１９４４９号公報
【発明の開示】
【発明が解決しようとする課題】
【００２３】
前述したように、従来技術では、特定サービス（特定の通信サービス）を提供するセルＡ及び当該特定サービスを提供しないセルＢが、異なる周波数帯域でオーバーレイする構成において、当該特定サービス用通信を設定することができないケースが発生して当該特定サービスの提供頻度が低減したり、かかる状況を回避するために、一律に、セルＡにおいて当該特定サービス用通信を設定しようとすると、劣悪な通信品質で通信が行われる可能性が生じたりするため、サービス性の劣化が懸念されるという問題点があった。
【００２４】
そこで、本発明は、上述の課題に鑑みてなされたものであり、特定サービスを提供するセル及び特定サービスを提供しないセルが異なる周波数帯域でオーバーレイする構成において、当該特定サービスの提供頻度の低減を回避しつつ、劣悪な通信品質で通信が実施される可能性を排除することによって、サービス性の劣化を回避することができる移動通信方法、無線制御局及び無線基地局を提供することを目的とする。
【課題を解決するための手段】
【００２５】
本発明の第１の特徴は、特定サービスを提供するセル及び該特定サービスを提供しないセルが異なる周波数帯域でオーバーレイする構成を有する移動通信システムにおける移動通信方法であって、第１セルにて待ち受け状態にある移動局が、通信開始要求信号を送信する工程Ａと、各セルにおいて該特定サービスを提供しているか否か、及び、異なる周波数帯域で該第１セルにオーバーレイされている第２セルにおける通信品質が前記通信開始要求信号に含まれているか否かの少なくとも１つに基づいて、該第２セルにおける通信品質を測定するか否かについて判定する工程Ｂと、測定された前記第２セルにおける通信品質に基づいて、前記第１セル又は該第２セルのいずれかにおいて前記移動局の通信を開始する工程Ｃとを有することを要旨とする。
【００２６】
本発明の第１の特徴において、前記工程Ｂにおいて、更に、前記移動局の通信能力、或いは、該移動局に対して前記特定サービスを提供する必要があるか否かの少なくとも１つに基づいて、前記第２セルにおける通信品質を測定するか否かについて判定してもよい。
【００２７】
本発明の第１の特徴において、前記工程Ｂにおいて、前記通信開始要求信号に含まれている前記第２セルにおける通信品質に基づいて、前記第１セル又は該第２セルのいずれかにおいて前記移動局の通信を開始してもよい。
【００２８】
本発明の第２の特徴は、特定サービスを提供するセル及び該特定サービスを提供しないセルが異なる周波数帯域でオーバーレイする構成を有する移動通信システムで用いられる無線制御局であって、第１セルにて待ち受け状態にある移動局が、通信開始要求信号を送信した場合に、各セルにおいて該特定サービスを提供しているか否か、及び、異なる周波数帯域で該第１セルにオーバーレイされている第２セルにおける通信品質が前記通信開始要求信号に含まれているか否かの少なくとも１つに基づいて、該第２セルにおける通信品質を測定するか否かについて判定するように構成されている判定部と、測定された前記第２セルにおける通信品質に基づいて、前記第１セル又は該第２セルのいずれかにおいて前記移動局の通信を開始するように構成されている通信部とを具備することを要旨とする。
【００２９】
本発明の第２の特徴において、前記判定部は、更に、前記移動局の通信能力、或いは、該移動局に対して前記特定サービスを提供する必要があるか否かの少なくとも１つに基づいて、前記第２セルにおける通信品質を測定するか否かについて判定するように構成されていてもよい。
【００３０】
本発明の第２の特徴において、前記通信部は、前記通信開始要求信号に含まれている前記第２セルにおける通信品質に基づいて、前記第１セル又は該第２セルのいずれかにおいて前記移動局の通信を開始してもよい。
【００３１】
本発明の第３の特徴は、特定サービスを提供するセル及び該特定サービスを提供しないセルが異なる周波数帯域でオーバーレイする構成を有する移動通信システムで用いられる無線基地局であって、第１セルにて待ち受け状態にある移動局が、通信開始要求信号を送信した場合に、各セルにおいて該特定サービスを提供しているか否か、及び、異なる周波数帯域で該第１セルにオーバーレイされている第２セルにおける通信品質が前記通信開始要求信号に含まれているか否かの少なくとも１つに基づいて、該第２セルにおける通信品質を測定するか否かについて判定するように構成されている判定部と、測定された前記第２セルにおける通信品質に基づいて、前記第１セル又は該第２セルのいずれかにおいて前記移動局の通信を開始するように構成されている通信部とを具備することを要旨とする。
【００３２】
本発明の第２の特徴において、前記判定部は、更に、前記移動局の通信能力、或いは、該移動局に対して前記特定サービスを提供する必要があるか否かの少なくとも１つに基づいて、前記第２セルにおける通信品質を測定するか否かについて判定するように構成されていてもよい。
【００３３】
本発明の第３の特徴において、前記通信部は、前記通信開始要求信号に含まれている前記第２セルにおける通信品質に基づいて、前記第１セル又は該第２セルのいずれかにおいて前記移動局の通信を開始してもよい。
【発明の効果】
【００３４】
以上説明したように、本発明によれば、特定サービスを提供するセル及び特定サービスを提供しないセルが異なる周波数帯域でオーバーレイする構成において、当該特定サービスの提供頻度の低減を回避しつつ、劣悪な通信品質で通信が実施される可能性を排除することによって、サービス性の劣化を回避することができる移動通信方法、無線制御局及び無線基地局を提供することができる。
【発明を実施するための最良の形態】
【００３５】
（本発明の第１の実施形態に係る移動通信システムの構成）
図１乃至図３を参照して、本発明の第１の実施形態に係る移動通信システムの構成について説明する。
【００３６】
図１に示すように、本実施形態に係る移動通信システムの構成は、上述のＷ-ＣＤＭＡシステムの構成と同様である。
【００３７】
本実施形態に係る移動通信システムには、更に、加入者情報を蓄積するホームメモリや課金システム等の装置が含まれることが一般的であるが、本実施形態では、それらの記載及び説明については省略する。なお、図１の例では、無線基地局ＮｏｄｅＢ及び無線制御局ＲＮＣが分けて記載されているが、これらが同一の装置であってもよい。
【００３８】
図１に示すように、本実施形態に係る移動通信システムでは、セル０１とセル０２とが地理的に同一のエリアをカバーしており、セル０３とセル０４とが地理的に同一のエリアをカバーしており、セル０１及びセル０３には周波数帯域０１が割り当てられており、セル０２及びセル０４には周波数帯域０２が割り当てられているというオーバーレイ構成が採用されている。
【００３９】
また、本実施形態に係る移動通信システムは、ＥＵＬサービス（特定サービス）を提供しないセル０１及びＥＵＬサービスを提供するセル０２が異なる周波数帯域でオーバーレイする構成を有する。
【００４０】
図２に、本実施形態に係る無線制御局ＲＮＣの装置構成の一例について示す。図２に示すように、無線制御局ＲＮＣは、大きく分けて、信号送受信部１１と、呼制御部１２と、メモリ内に設けられた局データ保持部１３とを具備している。
【００４１】
また、無線制御局ＲＮＣは、呼制御部１２内に、「特許文献１」に記載の無線制御局が備えていると考えられる別周波数帯域品質測定/セル選択部１２Ａに加えて、通信サービス判定部１２Ｂを備えている。
【００４２】
通信サービス判定部１２Ｂは、各セルにおいてＥＵＬサービス（特定サービス）を提供しているか否か（各セルにおけるＥＵＬサービスの提供有無）、及び、異なる周波数帯域で第１セル（当該移動局ＵＥの待ち受け中セル）にオーバーレイされている第２セル（別の周波数帯域のセル）における通信品質が通信開始要求信号に含まれているか否かの少なくとも１つに基づいて、別の周波数帯域のセルにおける通信品質を測定するか否かについて判定するように構成されている。
【００４３】
また、通信サービス判定部１２Ｂは、更に、移動局ＵＥの通信能力、或いは、移動局ＵＥに対してＥＵＬサービス（特定サービス）を提供する必要があるか否か（ＥＵＬサービスの必要性）の少なくとも１つに基づいて、別の周波数帯域のセルにおける通信品質を測定するか否かについて判定するように構成されていてもよい。
【００４４】
また、別周波数帯域品質測定/セル選択部１２Ａは、待ち受け中セル（第１セル）の周波数帯域と別の周波数帯域のセル（第２セル）における通信品質を測定し、測定した別の周波数帯域のセルにおける通信品質に基づいて、待ち受け中セル又は別の周波数帯域のセルのいずれかにおいて移動局の通信を開始するべきかについて決定する（セル選択を行う）ように構成されている。
【００４５】
具体的には、別周波数帯域品質測定/セル選択部１２Ａは、移動局ＵＥから受信した通信開始要求信号に含まれている第２セルにおける通信品質に基づいて、第１セル又は第２セルのいずれかにおいて移動局の通信を開始すべきであると決定してもよい。
【００４６】
なお、信号送受信部１１は、別周波数帯域品質測定/セル選択部１２Ａによって決定されたセルにおいて、ＥＵＬサービス（特定サービス）用通信又はＲｅｌｅａｓｅ  ９９サービス（通常サービス）用通信を設定するように構成されている。
【００４７】
また、局データ保持部１３は、図３に示すオーバーレイ・セル情報を管理するテーブルを保持するように構成されている。
【００４８】
図３に示すように、かかるテーブルは、オーバーレイされている各セルを識別するための「セルＩＤ」と、各セルにおいてパイロットチャネルの送信に使用する「周波数帯域」と、各セルにおいてパイロットチャネルの拡散に使用する「拡散コード」と、各セルにおいてＥＵＬサービスを提供しているか否かについて示す「ＥＵＬサービス提供有無」とを関連付けるオーバーレイ・セル情報を記憶する。
【００４９】
例えば、「ＥＵＬサービス提供有無」として「０ｘ００」が設定されている場合、当該セルにおいてＥＵＬサービスを提供していないことを示し、ＥＵＬサービス提供有無」として「０ｘ０１」が設定されている場合、当該セルにおいてＥＵＬサービスを提供していることを示す。
【００５０】
（本発明の第１の実施形態に係る移動通信システムの動作）
図４を参照して、本発明の第１の実施形態に係る移動通信システムの動作について説明する。
【００５１】
図４に示すように、ステップＳ１０１において、無線制御局ＲＮＣが、待ち受け状態にある移動局ＵＥからの通信開始要求信号を受け付ける。
【００５２】
ステップＳ１０２において、無線制御局ＲＮＣが、移動局ＵＥにＥＵＬサービス用通信能力が実装されているか、及び、ＥＵＬサービスが行われる必要性があるかについて判定する。
【００５３】
ここで、無線制御局ＲＮＣは、ＥＵＬサービス用通信能力の有無については、移動局ＵＥから通知される通信開始要求信号に含まれる情報等により判定することができる。
【００５４】
例えば、無線制御局ＲＮＣは、「非特許文献２」に規定される「ＲＲＣ  Ｃｏｎｎｅｃｔｉｏｎ  Ｒｅｑｕｅｓｔ」内の「ＵＥ  Ｃａｐａｂｉｌｉｔｙ  Ｉｎｄｉｃａｔｉｏｎ」を用いて、かかる判定を行うことができる。
【００５５】
また、無線制御局ＲＮＣは、ＥＵＬサービスの必要性については、例えば、移動局ＵＥによって通知された「送信すべき上りリンク用データが閾値を超えているか否かについての情報（例えば、「非特許文献２」に規定される「Ｍｅａｓｕｒｅｍｅｎｔ  Ｒｅｐｏｒｔ  ｅｖｅｎｔ  ４ａ」）」等に基づいて、かかる判定を行うことができる。
【００５６】
ここで、移動局ＵＥにＥＵＬサービス用通信能力が備わっており、かつ、ＥＵＬサービスの必要性があると判定されると、本動作は、ステップＳ１０４に進む。
【００５７】
一方、移動局ＵＥにＥＵＬサービス用通信能力が備わっていない、或いは、ＥＵＬサービスの必要性がないと判定されると、ステップＳ１０３において、移動局ＵＥが、待ち受けを行っていたセルにおいて、ＥＵＬサービス用通信ではなく、Ｒｅｌｅａｓｅ  ９９サービス（上りリンク）用通信を設定する。
【００５８】
なお、下りリンク用の通信は、ＨＳＤＰＡサービスによって行われてもよいし、Ｒｅｌｅａｓｅ  ９９サービス（下りリンク）によって行われてもよい。
【００５９】
ステップＳ１０４において、無線制御局ＲＮＣは、移動局ＵＥが待ち受けを行っているセルにおいて、ＥＵＬサービス用通信を設定可能であるか否かについて判定する。
【００６０】
当該セルにおいて、ＥＵＬサービス用通信を設定可能であると判定された場合、ステップＳ１０５において、移動局ＵＥは、待ち受けを行っているセルにおいて、ＥＵＬサービス用通信を設定する。
【００６１】
一方、当該セルにおいて、ＥＵＬサービス用通信を設定できないと判定された場合、本動作は、ステップＳ１０６に進む。
【００６２】
ステップＳ１０６において、無線制御局ＲＮＣは、移動局ＵＥによって待ち受けが行われていたセルとは別の周波数帯域のセルにおいて、ＥＵＬサービスが提供されているか否かについて判定する。
【００６３】
かかる判定は、例えば、無線制御局ＲＮＣのプログラム等が、無線制御局ＲＮＣの局データ保持部１３に予め設定されているオーバーレイ・セル情報を参照する等の手段を用いることによって実施可能である。
【００６４】
別の周波数帯域のセルにおいてＥＵＬサービスが提供されていないと判定された場合、ステップＳ１０３において、移動局ＵＥが、待ち受けを行っていたセルにおいて、ＥＵＬサービス用通信ではなく、Ｒｅｌｅａｓｅ  ９９サービス（上りリンク）用通信を設定する。
【００６５】
一方、別の周波数帯域のセルにおいてＥＵＬサービスが提供されていると判定された場合、本動作は、ステップＳ１０７に進む。
【００６６】
ステップＳ１０７において、無線制御局ＲＮＣが、移動局ＵＥから送信された通信開始要求信号に、別の周波数帯域のセルにおける通信品質が含まれているか否かについて判定する。
【００６７】
例えば、無線制御局ＲＮＣは、通信品質として、「非特許文献２」に規定される「ＲＲＣ  Ｃｏｎｎｅｃｔｉｏｎ  Ｒｅｑｕｅｓｔ」の「Ｍｅａｓｕｒｅｄ  Ｒｅｓｕｌｔｓ  ｏｎ  ＲＡＣＨ」を用いることができる。
【００６８】
ここで、通信開始要求信号に、別の周波数帯域のセルにおける通信品質が含まれていないと判定された場合、ステップＳ１０９において、無線制御局ＲＮＣは、移動局ＵＥに対して、かかる別の周波数帯域のセルにおける通信品質を測定するように指示して、当該移動局ＵＥから、かかる別の周波数帯域のセルにおける通信品質を取得する。
【００６９】
例えば、無線制御局ＲＮＣは、「非特許文献２」に規定されている「Ｍｅａｓｕｒｅｍｅｎｔ  Ｃｏｎｔｒｏｌ/Ｒｅｐｏｒｔ」を用いて、当該通信品質を取得することができる。
【００７０】
かかる通信品質としては、前述したように、パイロットチャネルの電界強度や、ＳＩＲや、電界損失等が想定される。
【００７１】
Ｗ-ＣＤＭＡシステムにおいては、上述した別の周波数帯域のセルにおいて送信されているパイロットチャネルを測定するためには、移動局ＵＥが、通信チャネルにおいて時間的なギャップを空けてギャップ区間にて測定する周波数帯域を切り替える「Ｃｏｍｐｒｅｓｓｅｄモード」方式や、移動局ＵＥに複数の無線受信機を備えて別の周波数帯域における電波を受信する「Ｄｕａｌ  Ｒｅｃｅｉｖｅｒ」方式等を、移動局ＵＥに付随させる必要がある。
【００７２】
なお、「Ｃｏｍｐｒｅｓｓｅｄモード」方式は、ギャップ区間の前後で、受信電力を倍増させて、ギャップによるデータ送受信機会消失を補填するため、一般に、瞬間的な無線リソース消費量や移動局ＵＥへの処理負荷が大きいという特性を持つ。
【００７３】
一方、通信開始要求信号に、別の周波数帯域のセルにおける通信品質が含まれていると判定された場合、かかるセルにおける通信品質の測定が不要であるため、本動作は、ステップＳ１０８をスキップして、ステップＳ１０９に進む。
【００７４】
ステップＳ１０９において、無線制御局ＲＮＣは、前述したいずれかの手段により取得した当該通信品質に基づいて、別の周波数帯域のセルにおける通信品質が十分に良好であるか否かについて判定する。
【００７５】
例えば、無線制御局ＲＮＣは、通信品質が十分に良好であるか否かについて、パイロットチャネルの電界強度やＳＩＲが所定の閾値を超えているか、或いは、パイロットチャネル電界損失が所定の閾値を下回っているか等の基準により判定することができる。
【００７６】
ここで、所定の閾値は、予め保持されている固定値であってもよいし、待ち受けを行っていたセルとの相対値であってもよい。
【００７７】
別の周波数帯域のセルにおける通信品質が十分に良好であると判定された場合、ステップＳ１１０において、移動局ＵＥは、別の周波数帯域のセルにおいて、ＥＵＬサービス用通信の設定を行う。
【００７８】
一方、別別の周波数帯域のセルにおける通信品質が不十分であると判定された場合には、ステップＳ１０３において、移動局ＵＥが、待ち受けを行っていたセルにおいて、ＥＵＬサービス用通信ではなく、Ｒｅｌｅａｓｅ  ９９サービス（上りリンク）用通信を設定する。
【００７９】
本実施形態に係る動作によって、図１のセル０１において待ち受けを行っていたＥＵＬ対応移動局ＵＥは、セル０２における通信品質を確認した上で、セル０２において、ＥＵＬサービス用通信を行うことができる（ただし、セル０２における通信品質が不十分であれば、セル０１において、Ｒｅｌｅａｓｅ  ９９サービス（上りリンク）用通信を行う）。
【００８０】
従来技術では、前述のとおり、移動局ＵＥが、セル０１において待ち受けを行っている場合、通信品質を測定する前に、移動局ＵＥのＥＵＬ通信能力やデータ量等の観点に基づいて、ＥＵＬサービス用通信の要否を判定する術がなかったため、移動局ＵＥは、セル０１においてＲｅｌｅａｓｅ  ９９サービス（上りリンク）用通信を行うか、或いは、通信品質の測定を行わずに、セル０２においてＥＵＬサービス用通信を行うことしかできなかった。
【００８１】
なお、本実施形態に係る動作に従うと、移動局ＵＥは、セル０２において待ち受けを行っていれば、そのまま、セル０２においてＥＵＬサービス用通信を行い、また、セル０３/０４において待ち受けを行っていれば、オーバーレイされている別の周波数帯域のセルにおいてＥＵＬサービスが提供されていないため、待ち受け中セルにおいてＲｅｌｅａｓｅ  ９９サービス（上りリンク）用通信を行う。
【００８２】
ここで、待ち受け状態にある移動局ＵＥは、通信品質が所定の閾値（３ＧＰＰの規定では「Ｓｉｎｔｅｒｓｅａｒｃｈ」と呼ばれる）を下回った契機で、別の周波数帯域のセルへの移行に備えて、別の周波数帯域のセルにおける通信品質の測定を開始することが普通であるが、通信開始要求信号に、別の周波数帯域のセルにおける通信品質を含めるのは、この場合に限ることも考えられる。
【００８３】
このことを逆に捉えれば、通信開始要求信号に、かかる通信品質が含まれていなければ、待ち受け中セルの通信品質が十分に良好であったと判断することも可能であり、オーバーレイするセル同士で、セル形状が極端に相違しないという前提条件を置けば、かかる通信品質の測定や引き続く通信品質の判定をスキップして、別の周波数帯域のセルにおいて通信を設定することもできる。
【００８４】
待ち受け中セルにおける通信品質が十分に良好であり、オーバーレイするセル同士で、セル形状がほぼ同一であれば、別の周波数帯域のセルにおける通信品質も同じく十分に良好であると判断できるためである。
【００８５】
（本発明の第１の実施形態に係る移動通信システムの作用・効果）
本発明の第１の実施形態に係る移動通信システムによれば、特定サービスを提供するセルＡ及び当該特定サービスを提供しないセルＢが、異なる周波数帯域でオーバーレイする構成において、当該特定サービスに係る移動局ＵＥの通信能力や、移動局ＵＥに対して当該特定サービスを提供する必要があるか否か（特定サービスの必要性）や、各セルにおいて当該特定サービスを提供しているか否か（各セルの特定サービスの提供有無）等に基づいて、異なる周波数帯域のセルにおける通信品質の測定を実施するか否かについて判定する工程を含み、かかる通信品質の測定を実施した上で、別の周波数帯域のセルにおいて当該特定サービス用通信を設定することができるため、当該特定サービスの提供頻度の低減を回避しつつ、劣悪な通信品質で通信が実施される可能性を排除することによって、サービス性の劣化を回避することができる。
【００８６】
本発明の第１の実施形態に係る移動通信システムによれば、通信開始要求信号に、別の周波数帯域のセルにおける通信品質が含まれていれば、かかる通信品質の測定をスキップすることが可能になっているため、移動局ＵＥは、待ち受けを行っているセルにおける通信品質が悪いにも関らず、「Ｃｏｍｐｒｅｓｓｅｄモード」を起動して、更なる通信品質の劣化や無線リソースの消費を招く懸念を回避することができる。
【００８７】
さらに、本発明の第１の実施形態に係る移動通信システムによれば、通信開始要求信号に、別の周波数帯域のセルにおける通信品質が含まれていなければ、別の周波数帯域のセルにおける通信品質は十分に良好であると判断して、かかる通信品質の測定及び判定をスキップすることが可能になり、通信品質の測定に伴う接続遅延や処理負荷や無線リソース消費を回避することができる。
【００８８】
（本発明の第２の実施形態に係る移動通信システム）
なお、本発明は、上述の第１の実施形態に示すように、Ｗ-ＣＤＭＡシステムへの適用に限定されることは無く、特定サービスを提供するセル及び該特定サービスを提供しないセルが異なる周波数帯域でオーバーレイする構成を有する任意の方式の移動通信システムに適用可能である。
【００８９】
例えば、本発明は、図５に示す本発明の第２の実施形態に係る移動通信システムのような「ＬＴＥ（Ｌｏｎｇ  Ｔｅｒｍ  Ｅｖｏｌｕｔｉｏｎ）」方式の移動通信システムにも適用可能である。
【００９０】
図５に示すように、本実施形態に係る移動通信システムは、移動局ＵＥや、ＭＡＣ（Ｍｅｄｉａ  Ａｃｃｅｓｓ  Ｃｏｎｔｒｏｌ）機能やＲＬＣ（Ｒａｄｉｏ  Ｌｉｎｋ  Ｃｏｎｔｒｏｌ）機能やＲＲＣ（Ｒａｄｉｏ  Ｒｅｓｏｕｒｃｅ  Ｃｏｎｔｒｏｌ）機能等を具備する無線基地局ｅＮＢや、パケット交換局ＳＧＳＮ（Ｓｅｒｖｉｎｇ  ＧＰＲＳ  Ｓｕｐｐｏｒｔ  Ｎｏｄｅ）を具備する。
【００９１】
ここで、図２に示すように、本実施形態に係る無線基地局ｅＮＢが、上述の第１の実施形態に係る無線制御局ＲＮＣの構成を具備し、上述の第１の実施形態において説明した無線制御局ＲＮＣの機能を実現するように構成されている。
【００９２】
なお、上述の無線制御局ＲＮＣ、移動局ＵＥ、無線基地局ＮｏｄｅＢ、ｅＮＢ、及び、交換局ＭＳＣ/ＳＧＳＮ、ＳＧＳＮの動作は、ハードウェアによって実施されてもよいし、プロセッサによって実行されるソフトウェアモジュールによって実施されてもよいし、両者の組み合わせによって実施されてもよい。
【００９３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００９６】
【図１】本発明の第１の実施形態に係る移動通信システムの全体構成図である。
【図２】本発明の第１の実施形態に係る無線制御局又は無線基地局の機能ブロック図である。
【図３】本発明の第１の実施形態に係る無線制御局又は無線基地局の局データ保持部によって保持されているオーバーレイ・セル情報の一例を示す図である。
【図４】本発明の第１の実施形態に係る無線制御局又は無線基地局の動作を示すフローチャートである。
【図５】本発明の第２の実施形態に係る移動通信システムの全体構成図である。
【符号の説明】
【００９７】
ＭＳＣ/ＳＧＳＮ、ＳＧＳＮ…交換局
ＲＮＣ…無線制御局
ＮｏｄｅＢ、ｅＮＢ…無線基地局
ＵＥ…移動局
１１…信号送受信部
１２…呼制御部
１２Ａ…別周波数帯域品質測定/セル選択部
１２Ｂ…通信サービス判定部
１３…局データ保持部（メモリ）
【図１】
0005156345.tif 000002
【図２】
0005156345.tif 000003
【図３】
0005156345.tif 000004
【図４】
0005156345.tif 000005
【図５】
0005156345.tif 000006